(57)【要約】      （修正有）【課題】容器本体に脱着可能な挿入容器を備えた化粧品容器を提供する。【解決手段】内面に第１収容部及び第２収容部１２０が形成される容器本体と、前記第１化粧料が充填され、前記第１収容部に脱着可能に結合する挿入容器２００と、前記容器本体の前記内面から突出形成され、前記第１収容部と前記第２収容部を区画し、前記第１収容部に収容される前記挿入容器を支持する固定部４００とを備え、前記第２収容部に前記第１化粧料とは異なる第２化粧料が充填される。【選択図】図１
0003223821.tif 000002
【実用新案登録請求の範囲】
【請求項１】
化粧品容器であって、
内面に第１収容部及び第２収容部が形成される容器本体と、
第１化粧料が充填され、前記第１収容部に脱着可能に結合する挿入容器と、
前記容器本体の前記内面から突出形成され、前記第１収容部と前記第２収容部を区画し、前記第１収容部に収容される前記挿入容器を支持する固定部と、を備え、
前記第２収容部に前記第１化粧料とは異なる第２化粧料が充填される化粧品容器。
【請求項２】
前記挿入容器の一面には、前記固定部が収容されるように内側に窪んだ第１結着部が形成される請求項１に記載の化粧品容器。
【請求項３】
前記固定部は、２つからなり、前記固定部のそれぞれは、前記容器本体の内側面から中心に向かって突出形成され、
前記挿入容器の前記第１結着部は、前記挿入容器の両端部に形成され、前記固定部のそれぞれを収容する請求項２に記載の化粧品容器。
【請求項４】
前記第１化粧料は、固形または半固形の化粧料であり、前記第２化粧料は、化粧溶液が含浸された含浸部材である請求項１に記載の化粧品容器。
【請求項５】
前記第２収容部に収容される含浸部材が外側に離脱しないように、前記挿入容器の上部面の前端には、前記第２収容部に向かって突出形成される第１支持部が形成される請求項４に記載の化粧品容器。
【請求項６】
前記容器本体の前記第１収容部及び前記第２収容部の外側に形成される収容溝に挿入され、前記第１収容部に挿入される前記挿入容器が外側に離脱することを防止する結合部をさらに備える請求項４に記載の化粧品容器。
【請求項７】
前記結合部の上部面の前端には、内側に突出形成される第２支持部が形成され、前記挿入容器の上部面の少なくとも一部には、内側に窪んで、前記第２支持部が収容される第２結着部が形成される請求項６に記載の化粧品容器。
【請求項８】
前記結合部の上部面の前端には、内側に突出形成される第３支持部が形成され、前記第２収容部に収容される前記含浸部材の離脱を防止する請求項６に記載の化粧品容器。
【請求項９】
前記容器本体は、
前記第１収容部及び前記第２収容部が形成される内側容器と、
前記内側容器を密閉して結合される内側カバーと、
前記内側容器が収容される外側容器と、
前記外側容器を密閉して結合される外側カバーと、を有する請求項１に記載の化粧品容器。
【請求項１０】
前記外側カバーは、外側ヒンジによって回動され、前記内側カバーは、内側ヒンジによって回動され、前記外側ヒンジ及び前記内側ヒンジは、互いに一定の角度だけ離隔して構成される請求項９に記載の化粧品容器。
【請求項１１】
前記内側カバーにおいて、前記内側容器と接する密閉面の反対面には、内側に窪んで第３収容部が形成される請求項９に記載の化粧品容器。
【請求項１２】
前記第３収容部に収容される塗布具をさらに有する請求項１１に記載の化粧品容器。
【請求項１３】
前記挿入容器は、複数個で構成され、それぞれの前記挿入容器は、前記第１化粧料が充填される容量が異なる請求項１に記載の化粧品容器。
【考案の詳細な説明】
【技術分野】
【０００１】
本考案は、化粧品容器に係り、さらに詳しくは、容器本体に脱着可能な挿入容器を備えた化粧品容器に関する。
【背景技術】
【０００２】
化粧のためには、多様な色相及び質感を有する化粧品が用いられる。例えば、化粧品としては、アイシャドウ、パウダー、ファウンデーション、リップスティック、リップグロス、アイライナー、マスカラ等が挙げられ、これらの化粧品は、ブラシ（化粧筆）とパフ等のように化粧品を付けて塗る化粧道具及び鏡と一緒に使われ、このような化粧品及び化粧道具は、化粧品容器に貯蔵・収納された状態に保管される。
【０００３】
このうち、ファウンデーション等の化粧品容器は、一般に、化粧品及び化粧道具が収納される容器本体と、前記容器本体を覆って化粧品と化粧道具を保護する蓋体と、前記容器本体と蓋体の閉じ状態を維持させるロック装置と、で構成される。
【０００４】
この種の化粧品容器は、従来、単一の化粧料が収納されていたものから、近年、色や材質等において相違した複数の化粧料が収納されるものへ変わっているが、特に、ユーザの好みやトレンドに応じて、これらの化粧料間の容量の比率が多様であり、また短周期に変わってくるという特徴がある。
【０００５】
このような化粧品容器の特徴を考慮して、消費者を満足させるためには、化粧品容器メーカが多様な規格と構成による化粧品容器を一々製造しなければならず、これは、多くの設備と投資費用を求めるという問題点があった。
【０００６】
しかも、化粧品容器内に複数の化粧料が収納されると、化粧料の充填中、これらの化粧料が互いに干渉して混ざって、化粧品が汚染され、これにより不良の化粧品が出てしまうという問題点があった。
【０００７】
したがって、これを解決するための技術が望まれている。
【考案の概要】
【考案が解決しようとする課題】
【０００８】
本考案は、上記問題点に鑑みなされたものであり、容器本体に脱着可能な挿入容器を備えた化粧品容器を提供することを目的とする。
【０００９】
本考案の技術的課題は、上述した技術的課題に制限されず、言及されなかった他の技術的課題は、以下の記載に基づいて当業者に明確に理解されるであろう。
【課題を解決するための手段】
【００１０】
本考案の実施形態によって化粧品容器が提供される。前記化粧品容器は、内面に第１収容部及び第２収容部が形成される容器本体と、前記第１化粧料が充填され、前記第１収容部に脱着可能に結合する挿入容器と、前記容器本体の前記内面から突出形成され、前記第１収容部と前記第２収容部を区画し、前記第１収容部に収容される前記挿入容器を支持する固定部と、を備え、前記第２収容部に前記第１化粧料とは異なる第２化粧料が充填されてもよい。
【００１１】
好ましくは、前記挿入容器の一面には、前記固定部が収容されるように内側に窪んだ第１結着部が形成されてもよい。
【００１２】
また、好ましくは、前記固定部は、２つからなり、前記固定部のそれぞれは、前記容器本体の内側面から中心に向かって突出形成され、前記挿入容器の前記第１結着部は、前記挿入容器の両端部に形成され、前記固定部のそれぞれを収容してもよい。
【００１３】
また、好ましくは、前記第１化粧料は、固形または半固形の化粧料であり、前記第２化粧料は、化粧溶液が含浸された含浸部材であってもよい。
【００１４】
また、好ましくは、前記第２収容部に収容される含浸部材が外側に離脱しないように、前記挿入容器の上部面の前端には、前記第２収容部に向かって突出形成される第１支持部が形成されてもよい。
【００１５】
また、好ましくは、前記容器本体の前記第１収容部及び前記第２収容部の外側に形成される収容溝に挿入され、前記第１収容部に挿入される前記挿入容器が外側に離脱することを防止する結合部をさらに備えてもよい。
【００１６】
また、好ましくは、前記結合部の上部面の前端には、内側に突出形成される第２支持部が形成され、前記挿入容器の上部面の少なくとも一部には、内側に窪んで、前記第２支持部が収容される第２結着部が形成されてもよい。
【００１７】
また、好ましくは、前記結合部の上部面の前端には、内側に突出形成される第３支持部が形成され、前記第２収容部に収容される前記含浸部材の離脱を防止する。
【００１８】
また、好ましくは、前記容器本体は、前記第１収容部及び前記第２収容部が形成される内側容器と、前記内側容器を密閉して結合される内側カバーと、前記内側容器が収容される外側容器と、前記外側容器を密閉して結合される外側カバーと、を有してよい。
【００１９】
また、好ましくは、前記外側カバーは、外側ヒンジによって回動され、前記内側カバーは、内側ヒンジによって回動され、前記外側ヒンジ及び前記内側ヒンジは、互いに一定の角度だけ離隔して構成されてもよい。
【００２０】
また、好ましくは、前記内側カバーにおいて、前記内側容器と接する密閉面の反対面には、内側に窪んで第３収容部が形成されてもよい。
【００２１】
また、好ましくは、前記第３収容部に収容される塗布具をさらに有してもよい。
【００２２】
また、好ましくは、前記挿入容器は、複数個で構成され、それぞれの前記挿入容器は、前記第１化粧料が充填される容量が異なってもよい。
【考案の効果】
【００２３】
本考案によれば、多様な形状及び化粧料の充填容量を有する挿入容器を容器本体に結合することにより、化粧品容器内の化粧料の種類、機能、用途等によって多様なコンセプトの化粧品容器を提供することができる。
【００２４】
また、本考案によれば、挿入容器が容器本体に配置されてから、容器本体の内面に形成された固定部によって挿入容器が位置固定されることにより、挿入容器を容器本体から離脱し難くすることができる。
【００２５】
また、本考案によれば、容器本体の一領域に配置された化粧溶液が含浸された含浸部材を挿入容器の支持部が支持することにより、含浸部材が容器本体内に安定的に配置されるようにすることができる。
【００２６】
また、本考案によれば、結合部が容器本体に配置されながら、結合部の支持部が含浸部材及び挿入容器を上側から支持することにより、容器本体上における挿入容器及び含浸部材の結合をさらに堅固にすることができる。
【００２７】
また、本考案によれば、第１化粧料の充填は、挿入容器上において行われ、第２化粧料の充填は、容器本体上において行われることにより、同一の空間において充填するときに生じる化粧料間の干渉や汚染の問題を解決することができる。
【００２８】
また、本考案によれば、化粧溶液が含浸された含浸部材と同じ第２化粧料が容器本体に充填されてから、挿入容器を容器本体に配置することにより、挿入容器の結合過程において、挿入容器の支持部が、含浸部材を干渉せず、含浸部材の上側に配置されて含浸部材を支持することができる。
【図面の簡単な説明】
【００２９】
本考案の詳細な説明において引用される図面をさらに充分に理解させるために、各図面の簡単な説明が提供される。
【図１】本考案の一実施形態に係る化粧品容器を示す図である。
【図２】図１の化粧品容器の分解状態を示す図である。
【図３】図１の化粧品容器の挿入容器を示す図である。
【図４】図１の化粧品容器の結合部を示す図である。
【図５】図１の化粧品容器の使用例示を示す図である。
【図６】本考案の一実施形態に係る化粧品容器を示す図である。
【考案を実施するための形態】
【００３０】
以下、添付された図面を参照して、本考案の好適な実施形態について詳述する。各図面の構成要素に参照符号を付加するに当たって、同一の構成要素に対しては、たとえ他の図面上に表れても、できる限り同一の符号を付与することに留意してほしい。また、本考案の実施形態を説明するに当たって、関連した公知構成または機能についての具体的な説明が本考案の実施形態についての理解を妨害すると判断される場合は、その詳細な説明を省略する。また、本考案の実施形態について後述するが、本考案の技術的思想は、これらに限定または制限されず、当業者によって変形されて多様に実施され得る。
【００３１】
明細書の全般にわたって、ある部分が他の部分に「連結」されているとは、「直接的に連結」されている場合のみならず、その中間に他の素子を介して「間接的に連結」されている場合も含む。また、ある部分がある構成要素を「含む」とは、特に拘りがない限り、他の構成要素を除くのではなく、他の構成要素を更に含んでもよいことを意味する。また、本考案に係る実施形態の構成要素を説明するに当たって、第１、第２、Ａ、Ｂ、（ａ）、（ｂ）等の用語を使っている。これらの用語は、単にその構成要素を他の構成要素と区別するためのものであって、その用語により当該構成要素の本質、順序または手順等が限定されるものではない。
【００３２】
図１は、本考案の一実施形態に係る化粧品容器を示す図であり、図２は、図１の化粧品容器の分解状態を示す図であり、図３は、図１の化粧品容器の挿入容器を示す図であり、図４は、図１の化粧品容器の結合部を示す図である。特に、図３の（ａ）は、挿入容器の斜視図であり、図３の（ｂ）は、挿入容器の底面斜視図であり、図４の（ａ）は、結合部の斜視図であり、図４の（ｂ）は、結合部の底面斜視図である。  
【００３３】
図１乃至図４を参照すると、化粧品容器１０００は、容器本体１００、挿入容器２００、結合部３００、及び固定部４００を備える。
【００３４】
容器本体１００は、化粧品容器１０００内の各種の構成を収容し、化粧料等が充填される空間を与えるものであって、内面に第１収容部１１０及び第２収容部１２０が形成される。各収容部１１０、１２０には、相違した化粧料５１０、５２０が充填され、例えば、第１収容部１１０に充填される第１化粧料５１０は、固形または半固形の化粧料であり、第２収容部１２０に充填される第２化粧料５２０は、化粧溶液が含浸された含浸部材であってもよいが、これに限定されない。
【００３５】
容器本体１００は、第１収容部１１０及び第２収容部１２０が形成される内側容器１４０と、内側容器１４０を密閉して結合される内側カバー１５０と、内側容器１４０が収容される外側容器１６０と、外側容器１６０を密閉して結合される外側カバー１７０と、を有する。このとき、外側カバー１７０は、外側容器１６０に形成される外側ヒンジによって回動され、内側カバー１５０は、内側容器１４０によって形成される内側ヒンジによって回動されように構成され、外側ヒンジ及び内側ヒンジは、干渉を防止するために、互いに一定の角度だけ離隔して配置されてもよい。
【００３６】
挿入容器２００は、化粧料（すなわち、第１化粧料５１０）が充填される容器であって、容器本体１００、特に、第１収容部１１０に脱着可能に結合される。挿入容器２００は、第１収容部１１０への定着のために、少なくとも一部が第１収容部１１０に対応する形状を有し、上面には、内側に窪んで、第１化粧料５１０が収容される充填空間２１０を与える。実施形態によって、挿入容器２００は、複数個で形成されてもよく、各挿入容器２００は、相違した第１化粧料５１０の充填容量を有する。
【００３７】
挿入容器２００は、第１収容部１１０に配置され、挿入容器２００の一面に接する固定部４００によって支持され、固定部４００との安定した接触のために、挿入容器２００の一面には、固定部４００に対応する形状に窪んだ第１結着部２２０が形成される。
【００３８】
また、容器本体１００の第２収容部１２０に第２化粧料５２０として液状化粧料が含浸される含浸部材が配置される場合、第２収容部１２０に収容される含浸部材が外側（特に、上側）に離脱しないように、挿入容器２００の上部面の前端には、第２収容部１２０に向かって突出形成される第１支持部２３０が形成される。突出形成される第１支持部２３０は、外側に離脱しないように含浸部材を支持する。
【００３９】
また、挿入容器２００の上部面の少なくとも一部には、内側に窪んだ第２結着部２４０が形成される。第２結着部２４０は、結合部３００の第２支持部３２０と接するものであって、挿入容器２００が容器本体１００に配置されてから、結合部３００が容器本体１００に配置されると、結合部３００の第２支持部３２０が挿入容器２００の第２結着部２４０に接し、第２支持部３２０が挿入容器２００を安定的に支持するようになる。
【００４０】
結合部３００は、外部容器１００の第１収容部１１０及び第２収容部１２０の外側に形成される収容溝１８０に挿入され、容器本体１００に結合されるものであって、第１収容部１１０に配置される挿入容器２００及び／または第２収容部１２０に配置される化粧溶液に含浸された含浸部材が外側に離脱することが防止される。
【００４１】
このため、結合部３００には、収容溝１８０に挿入される枠部３１０、並びに枠部３１０の上端において容器本体１００の内側に突出形成される第２支持部３２０及び第３支持部３３０が形成される。このとき、第２支持部３２０は、第１収容部１１０に対応する領域に形成され、第３支持部３３０は、第２収容部１２０に対応する領域に形成されるものであって、実施形態によって、第２支持部３２０及び第３支持部３３０は一体で形成されてもよいが、これに限定されない。
【００４２】
第２支持部３２０は、第１収容部１１０に向かって突出形成され、挿入容器２００に形成される第２結着部２４０と安定的に接するとともに、挿入容器２００を支持して、挿入容器２００が外側（特に、上側）に離脱することを防止する。すなわち、固定部４００が挿入容器２００の側方向への遊動を防止するが、例えば、化粧品容器１０００を揺らしたりひっくり返したりする場合、第２支持部３２０が挿入容器２００の上側から支持することにより、挿入容器２００の離脱の防止が補完される。
【００４３】
また、第３支持部３３０は、第２収容部１２０に向かって突出形成されることにより、容器本体１００の第２収容部１２０に第２化粧料５２０として液状化粧料が含浸される含浸部材が配置される場合、第２収容部１２０に収容される含浸部材が外側（特に、上側）へ離脱しないようにする。このとき、第３支持部３３０は、含浸部材と接して形成されるが、実施形態によって、接触による液状化粧料の流出を防止するために、含浸部材と離隔して形成される。
【００４４】
固定部４００は、外部容器１００の内面から突出形成されるものであって、第１収容部１１０と第２収容部１２０を区画する（点線参照）。固定部４００は、第１収容部１１０に配置される挿入容器２００を安定的に支持し、挿入容器２００の位置を固定して離脱を防止することができる。このため、固定部４００は、挿入容器２００が第１収容部１１０に配置されたとき、挿入容器２００の一面に接するように内面に突出形成される。
【００４５】
例えば、固定部４００は、２つからなり、固定部４００のそれぞれは、外部容器１００の内側面から中心に向かって突出形成され、これに対応して、挿入容器２００の一面（特に、両端部）には、固定部４００が収容されるように内側に窪んだ第１結着部２２０が形成されるが、これに限定されない。実施形態によって、挿入容器２００は、固定部４００によって支持されるだけでなく、嵌合方式で第１収容部１１０に結合される。これによって、挿入容器２００が水平方向の外力のみならず、垂直方向の外力に対しても安定的に第１収容部１１０に固定される。
【００４６】
図１乃至図４に示す化粧品容器１０００の形状は、例示的なものであって、本考案が適用される実施形態によって多様な構成が適用される。
【００４７】
図５は、図１の化粧品容器の使用例示を示す図である。
【００４８】
図５に示す化粧品容器１０００’の断面図を参照すると、容器本体１００への第１収容部１１０には、第１化粧料５１０が充填された挿入容器２００が配置され、第２収容部１２０には、第２化粧料５２０、すなわち、化粧溶液が含浸された含浸部材が配置される。色や材質等の相違した種類の化粧料が、１つの化粧品容器１０００’内に、特に、容器内側の同一の平面上に配置されるので、同時に多様な化粧料を必要とするユーザの便宜を図ることができる。
【００４９】
このとき、挿入容器２００は、固定部４００と接して配置され、固定部４００によって挿入容器２００の離脱、特に、水平方向への遊動が防止される。また、挿入容器２００は、固定部４００に嵌合方式で結合されるので、水平方向のみならず垂直方向への離脱も防止される。また、挿入容器２００の上部面の前端から第２収容部１２０に向かって突出形成される第１支持部２３０が、第１支持部２３０の下側に配置される化粧溶液が含浸された含浸部材を支持し、含浸部材が上側へ離脱することが防止される。
【００５０】
第１収容部１１０及び第２収容部１２０にそれぞれ第１化粧料５１０が充填された挿入容器２００及び第２化粧料５２０が配置されてから、その上部から結合部３００が配置される。このとき、結合部３００は、枠部３１０が外部容器１００の収容溝１８０に挿入されて外部容器１００と結合し、第２支持部３２０及び第３支持部３３０が枠部３１０の上端から容器本体１００の内側に突出形成され、それぞれ挿入容器２００及び含浸部材を支持するようになる。
【００５１】
具体的に、第２支持部３２０は、第１収容部１１０に対応する領域に形成されるものであって、挿入容器２００の上側に位置するが、挿入容器２００と離隔せず、第２結着部２４０と接触することにより、挿入容器２００の位置を固定して、外側への離脱（特に、垂直方向への離脱）が防止される。また、第３支持部３３０は、第２収容部１２０に対応する領域に形成されるものであって、液状化粧料が含浸される含浸部材上に配置され、第２収容部１２０に収容される含浸部材が外側（特に、上側）へ離脱しないようにする。
【００５２】
図６は、本考案の一実施形態に係る化粧品容器を示す図である。
【００５３】
図６を参照すると、化粧品容器１０００”における容器本体１００の内側カバー１５０には、第３収容部１３０が形成される。第３収容部１３０は、内側カバー１５０における、内側容器１４０と接する密閉面の反対面において内側に窪んで形成されるものであって、パフ等の塗布具が配置される。但し、これは、例示的なものであって、第３収容部１３０には、第１収容部１１０及び第２収容部１２０と同様に、少なくとも一つの化粧料が配置されてもよく、複数の化粧料が配置される場合、第３収容部１３０の内面には各化粧料を区画する隔壁が形成される。
【００５４】
以上のように、図面及び明細書において最適な実施形態が開示された。ここで、特定の用語が用いられたが、これは単に本考案を説明するための目的で用いられたものに過ぎず、意味を限定したり、請求の範囲に記載の本考案の範囲を制限したりするために用いられたものではない。よって、この技術分野における通常の知識を有する者であれば、これから種々の変形及び均等な他の実施形態が可能であることが理解されるであろう。よって、本考案の真の技術的な保護範囲は、添付の請求の範囲の技術的な思想によって定められるべきである。
【図１】
0003223821.tif 000003
【図２】
0003223821.tif 000004
【図３】
0003223821.tif 000005
【図４】
0003223821.tif 000006
【図５】
0003223821.tif 000007
【図６】
0003223821.tif 000008